(57)【要約】【課題】簡易な構成によって伝熱管の取付け強度を高くすることができ、製造作業の容易化や製造コスト低減なども好適に図ることが可能な熱交換器を提供する。【解決手段】熱交換器ＨＥは、伝熱管２の外周面がケース１の側壁部１０に設けられている第１の孔部１１の内周面に圧接するように伝熱管２に設けられた拡管部２０と、この拡管部２０の外面と第１の孔部１１の内周面との間に、第１のロウ付け部Ｂａのロウ材が進入する第１の隙間Ｃ１を形成するように、拡管部２０の外面に設けられた複数の第１の凹部２５ａと、を備えており、複数の第１の凹部２５ａの少なくとも１つは、各伝熱管２の外周面のうち、側壁部１０の正面視におけるケース１の外方側周面部Ｓａに位置している。【選択図】  図４
2020159593.tif 000002
【特許請求の範囲】
【請求項１】
加熱用媒体が内部に供給されるケースと、
このケースの側壁部に設けられている複数の第１の孔部に端部が挿通するようにして前記ケース内から外部に引き出されている複数の伝熱管と、
前記側壁部との間に隙間を形成するようにして前記複数の伝熱管の前記端部に取付けられるヘッダ部と、
前記複数の第１の孔部の周縁部に前記複数の伝熱管を接合する複数の第１のロウ付け部と、
を備えている、熱交換器であって、
外面が前記各第１の孔部の内周面に圧接するように前記各伝熱管に設けられた拡管部と、
この拡管部の外面と前記各第１の孔部の内周面との間に、前記第１のロウ付け部のロウ材が進入する第１の隙間が前記側壁部の内外に連通した状態に形成されるように、前記拡管部の外面に設けられた複数の第１の凹部と、
をさらに備えており、
前記複数の第１の凹部の少なくとも１つは、前記各伝熱管の外周面のうち、前記側壁部の正面視における前記ケースの外方側周面部に位置する構成とされていることを特徴とする、熱交換器。
【請求項２】
請求項１に記載の熱交換器であって、
前記複数の伝熱管のそれぞれの端部は、前記ケースの上下高さ方向に間隔を隔てて並んだ縦列が、上下高さ方向に位置ずれして横２列に並んだ千鳥配列とされており、
前記複数の第１の凹部の少なくとも１つは、前記ケースの外方側周面部のうち、最上部よりも下方、かつ最外端部よりも上方に位置している、熱交換器。
【請求項３】
請求項１または２に記載の熱交換器であって、
前記拡管部は、前記各伝熱管の軸長方向において前記側壁部を挟むように前記側壁部の内外にそれぞれ位置して前記側壁部に係合する第１および第２の段部を含んでおり、
前記第１の凹部は、前記第１および第２の段部の外面にも延設されている、熱交換器。
【請求項４】
請求項１ないし３のいずれかに記載の熱交換器であって、
前記ヘッダ部は、前記複数の伝熱管の前記端部が挿通する複数の第２の孔部を有し、かつ第２のロウ付け部を介して前記端部に接合されており、
前記拡管部は、その外面が前記各第２の孔部の内周面にも圧接するように設けられており、
前記拡管部の外面と前記各第２の孔部の内周面との間に、前記第２のロウ付け部のロウ材が進入する第２の隙間を形成するように、前記拡管部の外面に設けられた第２の凹部を、さらに備えている、熱交換器。
【請求項５】
加熱用媒体が内部に供給されるケースの側壁部に設けられている複数の第１の孔部に、複数の伝熱管の端部を挿通させた状態において、前記複数の伝熱管の外周面を前記複数の第１の孔部の内周面に圧接させるように、前記複数の伝熱管に拡管部を設ける拡管工程と、
前記側壁部との間に隙間を形成するようにして前記複数の伝熱管の端部にヘッダ部またはヘッダ部の構成部材を取付けるヘッダ部取付け工程と、
前記複数の第１の孔部の周縁部に前記複数の伝熱管を接合する第１のロウ付け部を設けるロウ付け工程と、
を有している、熱交換器の製造方法であって、
前記ロウ付け工程の前において、前記拡管部の外面と前記各第１の孔部の内周面との間
に、前記側壁部の内外に連通した第１の隙間が形成されるように、前記拡管部の外面に複数の第１の凹部を形成する第１の凹部形成工程を、さらに有しており、
この第１の凹部形成工程においては、前記複数の第１の凹部の少なくとも１つを、前記伝熱管の外周面のうち、前記側壁部の正面視における前記ケースの外方側周面部に位置させ、
前記ロウ付け工程においては、前記各伝熱管のうち、前記ケースの外方側周面部に位置する前記第１の凹部に、前記ケースの外方側から前記第１のロウ付け部用のロウ材を塗布し、かつその溶融ロウ材を前記第１の隙間に進入させることを特徴とする、熱交換器の製造方法。
【請求項６】
請求項５に記載の熱交換器の製造方法であって、
前記拡管工程は、前記各伝熱管内に進入された状態で前記各伝熱管の半径方向に拡縮変形可能な拡縮変形可能部を有する割型パンチを用いて行ない、
前記拡縮変形可能部は、前記各伝熱管をその内側から押圧するための複数のセグメントを有し、かつ前記各伝熱管の拡管時には、前記複数のセグメントの外面部の相互間に離間部が形成される構成であり、この離間部を利用することによって、前記各拡管部の外面に、前記第１の凹部を設け、前記拡管工程と前記第１の凹部形成工程とを同時に実行する、熱交換器の製造方法。
【請求項７】
請求項５または６に記載の熱交換器の製造方法であって、
前記ヘッダ部取付け工程においては、前記拡管工程の前に、前記複数の伝熱管の端部を前記ヘッダ部に設けられている複数の第２の孔部に挿通させておき、
前記拡管工程においては、前記各伝熱管の前記端部の外周面が前記各第２の孔部の内周面にも圧接するように前記拡管部を設けるとともに、この拡管部の外面には、この外面と前記各第２の孔部の内周面との間に第２の隙間を生じさせる第２の凹部を設け、
前記ロウ付け工程においては、前記各第２の孔部の周縁部に前記ヘッダ部を接合する第２のロウ付け部を設けるとともに、この第２のロウ付け部の溶融ロウ材を前記第２の隙間に進入させる、熱交換器の製造方法。
【発明の詳細な説明】
【技術分野】
【０００１】
本発明は、たとえば給湯装置における湯水加熱用途などに用いられる熱交換器、およびその製造方法に関する。
【背景技術】
【０００２】
本出願人は、熱交換器の一例として、特許文献１に記載のものを先に提案している。
同文献に記載の熱交換器においては、燃焼ガスが供給されるケース内に複数の伝熱管が収容されており、これら複数の伝熱管は、ケースの側壁部に設けられている複数の孔部に挿通するようにしてケース内からその外部に引き出されている。また、前記複数の伝熱管の端部には、入水用および出湯用のヘッダ部が取付けられている。
【０００３】
このような熱交換器においては、複数の伝熱管をケースの側壁部に対して強固に固定させる必要があり、またケース内から外部に燃焼ガスが漏出することを防止する必要もある。そこで、従来においては、ケースの側壁部の各孔部の周縁部に対し、各伝熱管をロウ付けすることが行なわれている。
【０００４】
しかしながら、前記従来技術においては、次に述べるように改善すべき余地があった。
【０００５】
すなわち、ケースの側壁部に対する各伝熱管の取付け強度を、十分に高くし、その信頼性を高める上では、ただ単に各伝熱管を側壁部にロウ付けするだけでは不十分である場合がある。したがって、ロウ付け強度を従来にも増して高めることが望まれる。
また、ロウ付けを行なうには、各伝熱管にペースト状のロウ材を予め塗布するが、この塗布作業は、複数の伝熱管の端部にヘッダ部の構成部材が取付けられた状態で行なわれるのが通例である。このため、前記部材がロウ材塗布作業の邪魔となって、ロウ材塗布の作業性が悪く、その作業コスト、ひいては熱交換器の製造コストが高いものとなる。
【先行技術文献】
【特許文献】
【０００６】
【特許文献１】特開２０１８−１１９７５７号公報
【発明の概要】
【発明が解決しようとする課題】
【０００７】
本発明は、前記したような事情のもとで考え出されたものであり、簡易な構成によって伝熱管の取付け強度を高くすることができ、製造作業の容易化や製造コスト低減なども好適に図ることが可能な熱交換器、およびその製造方法を提供することを、その課題としている。
【課題を解決するための手段】
【０００８】
上記の課題を解決するため、本発明では、次の技術的手段を講じている。
【０００９】
本発明の第１の側面により提供される熱交換器は、加熱用媒体が内部に供給されるケースと、このケースの側壁部に設けられている複数の第１の孔部に端部が挿通するようにして前記ケース内から外部に引き出されている複数の伝熱管と、前記側壁部との間に隙間を形成するようにして前記複数の伝熱管の前記端部に取付けられるヘッダ部と、前記複数の第１の孔部の周縁部に前記複数の伝熱管を接合する複数の第１のロウ付け部と、を備えている、熱交換器であって、外面が前記各第１の孔部の内周面に圧接するように前記各伝熱管に設けられた拡管部と、この拡管部の外面と前記各第１の孔部の内周面との間に、前記
第１のロウ付け部のロウ材が進入する第１の隙間が前記側壁部の内外に連通した状態に形成されるように、前記拡管部の外面に設けられた複数の第１の凹部と、をさらに備えており、前記複数の第１の凹部の少なくとも１つは、前記各伝熱管の外周面のうち、前記側壁部の正面視における前記ケースの外方側周面部に位置する構成とされていることを特徴としている。
ここで、「ケースの外方側周面部に位置する」とは、ケースの外方側周面部に、１つの第１の凹部の全体が位置していなくてもよく、１つの第１の凹部のうち、その一部分のみがケースの外方側周面部に位置し、かつ他の部分が外方側周面部からはみ出した配置とされている場合も含む。
【００１０】
このような構成によれば、次のような効果が得られる。
すなわち、ケースの側壁部に設けられた各第１の孔部の内周面には、各伝熱管に設けられた拡管部の外面が圧接しているため、各第１の孔部に対して各伝熱管を遊びのない、または少ない状態で、各伝熱管のロウ付けを適切に図ることができる。その一方、各拡管部の外面と各第１の孔部の内周面との間に形成されている第１の隙間には、第１のロウ付け部のロウ材を進入しているため、側壁部と各伝熱管とのロウ付け面積を大きくすることができるばかりか、前記ロウ材をケースの側壁部のうち、第１のロウ付け部とは反対側の部位に廻り込ませて、この部位においても各伝熱管と側壁部とのロウ付けを図ることも可能である。このようなことにより、従来技術よりもロウ付け強度を高め、ケースの側壁部に対する各伝熱管の取付けの信頼性を高めることができる。
また、本発明によれば、拡管部の外面に設けられた複数の第１の凹部の少なくとも１つは、各伝熱管の外周面のうち、側壁部の正面視におけるケースの外方側周面部に位置するため、熱交換器の製造過程において、第１のロウ付け部を構成するロウ材を伝熱管に塗布する際には、ケースの外方側から第１の凹部にロウ材を容易に塗布することが可能となる。したがって、ロウ材塗布作業に苦慮することが解消され、生産性を高め、製造コストの低減化を図ることもできる。ロウ材塗布作業は、人手作業、およびロボットによる機械作業のいずれでもよいが、本発明によれば、ロウ材塗布の機械作業化を促進することができる。
【００１１】
本発明において、好ましくは、前記複数の伝熱管のそれぞれの端部は、前記ケースの上下高さ方向に間隔を隔てて並んだ縦列が、上下高さ方向に位置ずれして横２列に並んだ千鳥配列とされており、前記複数の第１の凹部の少なくとも１つは、前記ケースの外方側周面部のうち、最上部よりも下方、かつ最外端部よりも上方に位置している。
ここで、「最上部よりも下方、かつ最外端部よりも上方」とは、１つの第１の凹部の一部分が最上部に位置し、または最外端部に位置していたとしても、他の部分が、最上部よりも下方、かつ最外端部よりも上方の領域に位置していればよい趣旨である。
【００１２】
このような構成によれば、千鳥配列された複数の伝熱管にそれぞれ設けられている第１の凹部の位置に、ケースの外方側からロウ材を容易かつ適切に塗布することが可能となる。また、前記ロウ材を加熱溶融させた場合に、ロウ材を各伝熱管の外周面の全周に行き渡らせることも可能である（ロウ材を加熱溶融させた場合、溶融ロウ材の全量が下方に進行する訳ではなく、その一部はロウ材塗布部分よりも上側にも進行する。したがって、ロウ材を伝熱管の外周面の最上部よりも低い箇所に塗布した場合であっても、最上部の位置まで溶融ロウ材を進行させ、伝熱管の外周面の全周をロウ付けすることが可能である）。
【００１３】
本発明において、好ましくは、前記拡管部は、前記各伝熱管の軸長方向において前記側壁部を挟むように前記側壁部の内外にそれぞれ位置して前記側壁部に係合する第１および第２の段部を含んでおり、前記第１の凹部は、前記第１および第２の段部の外面にも延設されている。
【００１４】
このような構成によれば、各伝熱管の拡管部の第１および第２の段部の存在により、側壁部に対する各伝熱管の取付け強度をより高めることが可能である。その一方、第１の凹部は、第１および第２の段部にも延設されているため、第１のロウ付け部のロウ材を、第１の凹部を介して第１の隙間に円滑に進入させることができる。第１の隙間が、第１および第２の段部によって塞がれてしまう不具合を適切に回避することが可能である。
【００１５】
本発明において、好ましくは、前記ヘッダ部は、前記複数の伝熱管の前記端部が挿通する複数の第２の孔部を有し、かつ第２のロウ付け部を介して前記端部に接合されており、前記拡管部は、その外面が前記各第２の孔部の内周面にも圧接するように設けられており、前記拡管部の外面と前記各第２の孔部の内周面との間に、前記第２のロウ付け部のロウ材が進入する第２の隙間を形成するように、前記拡管部の外面に設けられた第２の凹部を、さらに備えている。
【００１６】
このような構成によれば、複数の伝熱管へのヘッダ部の取付けも適切に図られる。すなわち、前記した複数の伝熱管とヘッダ部との接合構造の基本的な構成は、先に述べたケースの側壁部に対する複数の伝熱管の接合構造と共通しており、ヘッダ部に設けられた第２の孔部の内周面に対し、伝熱管の拡管部の外周面を広い面積で圧接させ得ることや、第２の孔部の内周面と伝熱管の外面との間に形成された第２の隙間にロウ材が進入することによって強固なロウ付けを図ることができるなどの効果が得られる。
【００１７】
本発明の第２の側面により提供される熱交換器の製造方法は、加熱用媒体が内部に供給されるケースの側壁部に設けられている複数の第１の孔部に、複数の伝熱管の端部を挿通させた状態において、前記複数の伝熱管の外周面を前記複数の第１の孔部の内周面に圧接させるように、前記複数の伝熱管に拡管部を設ける拡管工程と、前記側壁部との間に隙間を形成するようにして前記複数の伝熱管の端部にヘッダ部またはヘッダ部の構成部材を取付けるヘッダ部取付け工程と、前記複数の第１の孔部の周縁部に前記複数の伝熱管を接合する第１のロウ付け部を設けるロウ付け工程と、を有している、熱交換器の製造方法であって、前記ロウ付け工程の前において、前記拡管部の外面と前記各第１の孔部の内周面との間に、前記側壁部の内外に連通した第１の隙間が形成されるように、前記拡管部の外面に複数の第１の凹部を形成する第１の凹部形成工程を、さらに有しており、この第１の凹部形成工程においては、前記複数の第１の凹部の少なくとも１つを、前記伝熱管の外周面のうち、前記側壁部の正面視における前記ケースの外方側周面部に位置させ、前記ロウ付け工程においては、前記各伝熱管のうち、前記ケースの外方側周面部に位置する前記第１の凹部に、前記ケースの外方側から前記第１のロウ付け部用のロウ材を塗布し、かつその溶融ロウ材を前記第１の隙間に進入させることを特徴としている。
【００１８】
このような構成によれば、本発明の第１の側面により提供される熱交換器を、簡易な作業工程によって適切に製造することが可能である。
【００１９】
本発明において、好ましくは、前記拡管工程は、前記各伝熱管内に進入された状態で前記各伝熱管の半径方向に拡縮変形可能な拡縮変形可能部を有する割型パンチを用いて行ない、前記拡縮変形可能部は、前記各伝熱管をその内側から押圧するための複数のセグメントを有し、かつ前記各伝熱管の拡管時には、前記複数のセグメントの外面部の相互間に離間部が形成される構成であり、この離間部を利用することによって、前記各拡管部の外面に、前記第１の凹部を設け、前記拡管工程と前記第１の凹部形成工程とを同時に実行する。
【００２０】
このような構成によれば、所定の割型パンチを利用した伝熱管の拡管作業を行なうことにより、これと同時に、拡管部に第１の凹部を形成することができるため、その作業は簡易である他、全体の作業工程数を少なくし、生産性を高めることが可能である。
【００２１】
本発明において、好ましくは、前記ヘッダ部取付け工程においては、前記拡管工程の前に、前記複数の伝熱管の端部を前記ヘッダ部に設けられている複数の第２の孔部に挿通させておき、前記拡管工程においては、前記各伝熱管の前記端部の外周面が前記各第２の孔部の内周面にも圧接するように前記拡管部を設けるとともに、この拡管部の外面には、この外面と前記各第２の孔部の内周面との間に第２の隙間を生じさせる第２の凹部を設け、前記ロウ付け工程においては、前記各第２の孔部の周縁部に前記ヘッダ部を接合する第２のロウ付け部を設けるとともに、この第２のロウ付け部の溶融ロウ材を前記第２の隙間に進入させる。
【００２２】
このような構成によれば、ケースの側壁部に伝熱管を固定させる作業工程を有効に利用した上で、伝熱管にヘッダ部を適切に取付けることが可能である。
【００２３】
本発明のその他の特徴および利点は、添付図面を参照して以下に行なう発明の実施の形態の説明から、より明らかになるであろう。
【図面の簡単な説明】
【００２４】
【図１】本発明に係る熱交換器の一例を示す斜視図である。
【図２】図１のII−II断面図である。
【図３】図１のIII−III断面図である。
【図４】（ａ）は、図１に示す熱交換器の側面図であり、（ｂ）は、その説明断面図である。
【図５】図４（ａ）のＶ−Ｖ断面図である。
【図６】（ａ）は、図５のVIa−VIa断面図であり、（ｂ）は、（ａ）の一部拡大図である。
【図７】図６（ｂ）のVII−VII断面図である。
【図８】図７のVIII−VIII断面図である。
【図９】（ａ）は、伝熱管の拡管に用いる割型パンチの一例を示す正面図であり、（ｂ）は、（ａ）のIXb−IXb断面図であり、（ｃ）は、（ｂ）に示す構造の作用を示す要部断面図である。
【図１０】（ａ）は、図１〜図４に示す熱交換器の製造方法の作業工程例を示す要部断面図であり、（ｂ）は、（ａ）のXb−Xb断面図である。
【図１１】（ａ）は、図１〜図４に示す熱交換器の製造方法の作業工程例を示す要部断面図であり、（ｂ）は、（ａ）のXIb−XIb断面図である。
【図１２】（ａ）は、図１〜図４に示す熱交換器の製造方法の作業工程例を示す要部断面図であり、（ｂ）は、（ａ）のXIIb−XIIb断面図である。
【発明を実施するための形態】
【００２５】
以下、本発明の好ましい実施の形態について、図面を参照して具体的に説明する。
【００２６】
図１〜図４に示す熱交換器ＨＥは、たとえば給湯装置に組み込まれ、給湯用の湯水を加熱するのに用いられるものである。この熱交換器ＨＥは、全体の基本的な構成自体は、特許文献１と共通しており、ケース１、このケース１内に収容された複数の伝熱管２、ならびに入水用および出湯用の一対のヘッダ部６（６ａ，６ｂ）を備えている。特許文献１と共通する既知の構成は、簡単に説明することとする。
【００２７】
ケース１は、全体が略直方体状であり、横幅方向の両端が開口した略角筒状のケース本体１Ａと、このケース本体１Ａの両端開口部分を塞ぐようにケース本体１Ａに接合された一対の側壁部１０，１０Ａとを備えている。ケース本体１Ａおよび一対の側壁部１０，１０Ａのそれぞれは、たとえばステンレス鋼板にプレス加工や曲げ加工を施すなどして形成
されたものである。ケース本体１Ａの後壁部１ａおよび前壁部１ｂには、加熱用気体としての燃焼ガスをケース１内に流入出させるための給気口１７および排気口１８が設けられている。複数の伝熱管２を通過する湯水は、前記燃焼ガスを利用して加熱され、温水生成がなされる。側壁部１０，１０Ａには、これら側壁部１０，１０Ａの強度を高めるための段押し部１９，１９Ａが設けられている。
【００２８】
各伝熱管２は、たとえば平面視蛇行状の蛇行管であり、間隔を隔てて並んだ複数の直状管体部２ａが、半円弧状などの接続管体部２ｂを介して一連に繋がった構成である。複数の伝熱管２は、上下高さ方向に積層されているが、上下高さ方向において隣接する伝熱管２どうしは、ケース１の前後方向に適当な寸法だけ位置ずれした配列とされている。これは、複数の伝熱管２による燃焼ガスからの熱回収量を多くする上で有利である。
【００２９】
複数の伝熱管２の両端部（長手方向両端部）は、ケース１の側壁部１０に設けられた複数の第１の孔部１１を挿通し、ケース１内からその外部に引き出されている。複数の第１の孔部１１は、段押し部１９を回避するように、段押し部１９よりも前側および後側の領域に設けられている。図４に示すように、複数の第１の孔部１１および伝熱管２の両端部は、ケース１の上下高さ方向に間隔を隔てて並んだ縦列が、上下高さ方向に位置ずれして横２列に並んだ千鳥配列とされている。
【００３０】
ヘッダ部６は、ベース部６０と、入水口または出湯口として利用される開口部６１ａを有するカバー部６１とが接合され、かつ内部には伝熱管２内に連通するチャンバ６３が形成された構成である。このヘッダ部６は、側壁部１０との間に隙間（ロウ材塗布用の隙間として利用）を形成するように伝熱管２に取付けられている。
本実施形態においては、側壁部１０に対する伝熱管２の固定構造、および伝熱管２に対するヘッダ部６の取付け構造に特徴があり、この点を以下に説明する。
【００３１】
図５〜図８（とくに図７）に示すように、伝熱管２には、拡管部２０が設けられている。また、伝熱管２をケース１の側壁部１０に接合するための手段として、第１のロウ付け部Ｂａが具備されている。
拡管部２０は、伝熱管２のうち、ケース１の側壁部１０よりも内側の位置から先端部にわたって設けられており、第１ないし第４の段部２１〜２４、ならびに第１および第２の凹部２５ａ，２５ｂを含む凹部２５を有している。凹部２５は、非拡管部に相当し、伝熱管２の軸長方向に一連に延びて設けられている。この凹部２５は、図９を参照して後述する拡管作業用の割型パンチ５の離間部５５に対応する部位であり、図４、図６および図８に示すように、伝熱管２の周方向に適当な間隔で複数箇所設けられている。図４、図６と図８とでは、凹部２５の配置が相違した状態に示されているが、これは、図４および図６は、熱交換器ＨＥの側面断面視に相当し、実際の構成を示しているのに対し、図８は、図９に示す割型パンチ５との関係を明確にし、後述する拡管作業などを理解し易くすべく１つの凹部２５の位置を伝熱管２の外周面の最上部に配置させた断面図として示されているからである。
【００３２】
複数の凹部２５は、実際には、図４に示すように、伝熱管２の外周面に約９０°の等角度間隔で計４箇所設けられており、かつそれらは伝熱管２の中心を通過する水平線ＨＬまたは鉛直線ＶＬに対し、適当な角度（たとえば約４５°）で位置ずれした位置とされている。このことにより、各伝熱管２に設けられた複数の凹部２５の少なくとも１つは、各伝熱管２の外周面のうち、側壁部１０の正面視におけるケース１の外方側周面部Ｓａのいずれかに位置する構成となっている。図４（ｂ）に示す凹部２５（２５’）は、ケース１の外方側周面部Ｓａのうち、最上部よりも下方、かつ最外端部よりも上方の領域Ｓｂに位置しており、この凹部２５’がロウ材塗布対象領域とされる。
【００３３】
第１および第２の段部２１，２２は、伝熱管２の軸長方向においてケース１の側壁部１０を挟むように、側壁部１０の内側および外側にそれぞれ位置し、かつ伝熱管２の非拡管部の外径よりも大径とされた部分である。好ましくは、第１および第２の段部２１，２２は、側壁部１０の内外両側面に接触した配置とされる。
図７および図８に示すように、拡管部２０の外周面（第１および第２の段部２１，２２の相互間領域の外周面）は、第１の孔部１１の内周面に圧接している。ただし、第１の凹部２５ａの位置においては、拡管部２０の外周面と第１の孔部１１の内周面とは非接触であり、第１の隙間Ｃ１が形成されている。凹部２５のうち、第１の孔部１１の内周面に対向する部分が、第１の凹部２５ａであり、この第１の凹部２５ａは、第１および第２の段部２１，２２の形成箇所にも延設されている。
【００３４】
第１のロウ付け部Ｂａは、側壁部１０のうち、第１の孔部１１の周縁部と伝熱管２の外周面とを接合する部分であり、側壁部１０の外側に設けられている。ただし、この第１のロウ付け部Ｂａのロウ材は、第１の隙間Ｃ１に進入し、第１の孔部１１の内周面と伝熱管２の外周面とを接合している。好ましくは、前記ロウ材の一部は、第１の隙間Ｃ１を介して側壁部１０の内面側に到達し、側壁部１０の内面側を伝熱管２に接合する追加のロウ付け部Ｂａ’を構成している。
【００３５】
伝熱管２の先端寄り部分は、ヘッダ部６のベース部６０に設けられた第２の孔部６２に挿通し、これらの部分を接合するための手段として、第２のロウ付け部Ｂｂが設けられている。拡管部２０の第３および第４の段部２３，２４は、伝熱管２の軸長方向においてベース部６０の内側および外側にそれぞれ位置し、かつ伝熱管２の非拡管部の外径よりも大径とされた部分である。好ましくは、第３および第４の段部２３，２４は、ベース部６０の内外両側面に接触した配置とされる。
【００３６】
拡管部２０の外周面は、第２の孔部６２の内周面に対しても圧接している。ただし、第２の凹部２５ｂの位置においては、拡管部２０の外周面と第２の孔部６２の内周面とは非接触であり、第２の隙間Ｃ２が形成されている。凹部２５のうち、第２の孔部６２の内周面に対向する部分が、第２の凹部２５ｂである。この第２の凹部２５ｂは、第３および第４の段部２３，２４の形成箇所にも延設されている。
【００３７】
第２のロウ付け部Ｂｂは、ベース部６０のうち、第２の孔部６２の周縁部と伝熱管２の外周面とを接合する部分であり、ベース部６０の片面側に設けられている。ただし、この第２のロウ付け部Ｂｂのロウ材は、第２の隙間Ｃ２に進入し、第２の孔部６２の内周面と伝熱管２の外周面とを接合している。好ましくは、前記ロウ材の一部は、第２の隙間Ｃ２を介してベース部６０の前記とは反対の片面側に到達し、ベース部６０の前記反対の片面側を伝熱管２に接合する追加のロウ付け部Ｂｂ’を構成している。
【００３８】
次に、前記した熱交換器ＨＥの製造方法の一例について説明する。
【００３９】
熱交換器ＨＥの製造に際しては、図９に示すような割型パンチ５を用いる。理解の容易のため、この割型パンチ５を先に説明する。
【００４０】
割型パンチ５は、マンドレル４が内部に挿入される筒状であり、先端部から基端部側に向けて延びた複数のスリット５５（離間部）を有している。このことにより、割型パンチ５は、その中心軸周りにおいて複数（たとえば４つ）のセグメント５０ａに分割されており、この割型パンチ５のうち、軸長方向先端寄り部分は、半径方向に拡縮変形可能な拡縮変形可能部５０となっている。拡縮変形可能部５０の外周面には、先に述べた第１ないし第４の段部２１〜２４を形成するための第１ないし第４の凸状部５１〜５４が設けられている。
【００４１】
マンドレル４の先端部は、たとえば円錐状または円錐台状などとされ、先端部から基端部側に進むほど直径または幅が増大する楔部４０であり、割型パンチ５の拡縮変形可能部５０の内側に位置している。マンドレル４を割型パンチ５に相対させて前進させると、図９（ｂ）に示す非拡大状態から、同図（ｃ）に示す拡大状態に変化する。すなわち、楔部４０によって複数のセグメント５０ａを押し広げることが可能である。図９（ｃ）に示した拡大状態では、スリット５５（離間部）の幅Ｌａが拡大しているが、このことにより、伝熱管２の拡管部２０に凹部２５を形成することができる。
【００４２】
熱交換器ＨＥの製造に際しては、前記した割型パンチ５を使用し、図１０〜図１２に示すような手順を経る。
【００４３】
まず、図１０に示すように、ケース１の側壁部１０およびヘッダ部６のベース部６０に設けられている第１および第２の孔部１１，６２に伝熱管２を挿通させた状態において、図１１に示すように、割型パンチ５を伝熱管２内に挿入する。次いで、図１２に示すように、割型パンチ５を拡大させ、伝熱管２の端部寄り領域を拡管する。このことにより、図４、図６〜図８などを参照して説明した拡管部２０を伝熱管２に設けることができ、側壁部１０への伝熱管２の仮固定、および伝熱管２へのベース部６０の仮固定を適切に図ることができる。
【００４４】
図１２（ｂ）によく表れているように、割型パンチ５の拡縮変形可能部５０を拡大させた際には、複数のセグメント５０ａの相互間のスリット５５（離間部）の幅が大きくなり、このスリット５５に対応する箇所は、拡管されない、または他の部分と比較して十分に拡管されない。このことにより、拡管部２０に凹部２５を設けることが可能である。
【００４５】
前記した拡管工程を終えた後には、第１および第２のロウ付け部Ｂａ，Ｂｂを設けるためのロウ付け工程を実施する。
このロウ付け工程においては、まず、ペースト状のロウ材の塗布作業を行なう。第１のロウ付け部Ｂａを形成するためのロウ材塗布作業は、図３の仮想線で示すように、ロウ材塗布用のノズル９を、側壁部１０とベース部６０との相互間の隙間に、ケース１の外方側から差し込むようにして行なう。また、その際には、図４に示すように、凹部２５’の位置にロウ材を塗布する。
一方、第２のロウ付け部Ｂｂを形成するためのロウ材塗布作業は、ベース部６０がカバー部６１によって未だ覆われていない状態でなされるため、前記したような制約はなく、適当な方向からロウ材塗布を行なうことが可能である。ただし、好ましくは、凹部２５’に相当する第２の凹部２５ｂにロウ材を塗布する。
【００４６】
前記したロウ材塗布作業の後には、加熱炉を利用してロウ材を加熱溶融させる。その際、第１および第２のロウ付け部Ｂａ，Ｂｂを形成するための溶融ロウ材の一部は、第１および第２の隙間Ｃ１，Ｃ２に進入することとなる。また、ロウ材を加熱溶融させた場合、その一部については、第１および第２の孔部１１，６２のそれぞれの内周面と伝熱管２の外周面との間に存在する微小隙間を伝わせ、伝熱管２の外周面の最上部、さらにはそれよりも先の位置まで進行させることが可能である。したがって、ロウ材が塗布される凹部２５’は、伝熱管２の最上部には位置していないものの、伝熱管２の外周面の全周に溶融ロウ材を行き渡らせることが可能である。
前記した一連の工程を経ることにより、熱交換器ＨＥを適切に製造することができる。
【００４７】
本実施形態の熱交換器ＨＥにおいては、ケース１の側壁部１０に設けられた第１の孔部１１の内周面と、伝熱管２の外周面との間には、第１の隙間Ｃ１が形成され、かつこの第１の隙間Ｃ１に第１のロウ付け部Ｂａのロウ材が進入しているため、側壁部１０と伝熱管
２とのロウ付け面積を大きくすることができる。また、ロウ材は、複数の第１の隙間Ｃ１を介して側壁部１０の内面側に廻り込むため、追加のロウ付け部Ｂａ’も設けられる（図７を参照）。したがって、側壁部１０に対する伝熱管２のロウ付け強度を高くすることができる。
【００４８】
側壁部１０と伝熱管２とのロウ付け面積を大きくするための手段として、拡管部２０の外面に第１の凹部２５ａが設けられているが、この第１の凹部２５ａは、拡管部２０の周方向に部分的に設けられており、伝熱管２の外周面と第１の孔部１１の内周面との接触面積（圧接領域の面積）を大きくとることが可能である。したがって、拡管による側壁部１０に対する伝熱管２の取付け強度も高めることができる。
【００４９】
一方、伝熱管２に対するヘッダ部６（ベース部６０）の取付け構造も、その基本的な構成は、側壁部１０に対する伝熱管２の取付け構造と同様であり、ヘッダ部６のロウ付け強度、拡管による固定強度をともに高めることが可能である。また、伝熱管２に対するヘッダ部６の取付け工程のうち、拡管工程は、同一の工程で行なうことが可能である。このようなことから、熱交換器ＨＥの製造作業は容易であり、製造コストの低減を的確に図ることもできる。
【００５０】
本発明は、上述した実施形態の内容に限定されない。本発明に係る熱交換器の各部の具体的な構成は、本発明の意図する範囲内において種々に設計変更自在である。本発明に係る熱交換器の製造方法の各工程の具体的な構成は、本発明の意図する範囲内において変更自在である。
【００５１】
伝熱管は、蛇行状のものに限らず、たとえばＵ字状、直管状、あるいは螺旋状などのものを用いることが可能であり、その具体的な形状は問わない。断面楕円形の伝熱管なども用いることが可能である。伝熱管の具体的な数や配列なども限定されない。
本発明に係る熱交換器は、給湯装置用のものに限らない。加熱用媒体としては、燃焼ガスに代えて、たとえば高温の排ガスなどを用いることもできる。
本発明の熱交換器の製造方法で用いられる割型パンチの複数のセグメントは、４分割状のものに限らず、２分割や３分割などとされたものであってもよく、その具体的な数は問わない。したがって、各伝熱管に設けられる第１の凹部や第２の凹部の数も、４つに限定されない。また、割型パンチの複数のセグメントは、１つの部材がスリットを介して分離されたものに限らず、複数のセグメントをそれぞれ別部材とした構成とすることもできる。
【符号の説明】
【００５２】
ＨＥ  熱交換器
Ｂａ，Ｂｂ  第１および第２のロウ付け部
Ｃ１，Ｃ２  第１および第２の隙間
１  ケース
１０  側壁部
１１  第１の孔部
２  伝熱管
２０  拡管部
２１，２２  第１および第２の段部
２５  凹部
２５ａ，２５ｂ  第１および第２の凹部
５  割型パンチ
５０  拡縮変形可能部
５０ａ  セグメント
５５  スリット（離間部）
６  ヘッダ部
６２  第２の孔部
【図１】
2020159593.tif 000003
【図２】
2020159593.tif 000004
【図３】
2020159593.tif 000005
【図４】
2020159593.tif 000006
【図５】
2020159593.tif 000007
【図６】
2020159593.tif 000008
【図７】
2020159593.tif 000009
【図８】
2020159593.tif 000010
【図９】
2020159593.tif 000011
【図１０】
2020159593.tif 000012
【図１１】
2020159593.tif 000013
【図１２】
2020159593.tif 000014
【手続補正書】
【提出日】令和2年4月9日(2020.4.9)
【手続補正１】
【補正対象書類名】特許請求の範囲
【補正対象項目名】請求項７
【補正方法】変更
【補正の内容】
【請求項７】
請求項５または６に記載の熱交換器の製造方法であって、
前記ヘッダ部取付け工程においては、前記拡管工程の前に、前記複数の伝熱管の端部を前記ヘッダ部に設けられている複数の第２の孔部に挿通させておき、
前記拡管工程においては、前記各伝熱管の前記端部の外周面が前記各第２の孔部の内周面にも圧接するように前記拡管部を設けるとともに、この拡管部の外面には、この外面と前記各第２の孔部の内周面との間に第２の隙間を生じさせる第２の凹部を設け、
前記ロウ付け工程においては、前記各第２の孔部の周縁部に前記複数の伝熱管を接合する第２のロウ付け部を設けるとともに、この第２のロウ付け部の溶融ロウ材を前記第２の隙間に進入させる、熱交換器の製造方法。
【手続補正２】
【補正対象書類名】明細書
【補正対象項目名】００２１
【補正方法】変更
【補正の内容】
【００２１】
本発明において、好ましくは、前記ヘッダ部取付け工程においては、前記拡管工程の前に、前記複数の伝熱管の端部を前記ヘッダ部に設けられている複数の第２の孔部に挿通させておき、前記拡管工程においては、前記各伝熱管の前記端部の外周面が前記各第２の孔部の内周面にも圧接するように前記拡管部を設けるとともに、この拡管部の外面には、この外面と前記各第２の孔部の内周面との間に第２の隙間を生じさせる第２の凹部を設け、前記ロウ付け工程においては、前記各第２の孔部の周縁部に前記複数の伝熱管を接合する第２のロウ付け部を設けるとともに、この第２のロウ付け部の溶融ロウ材を前記第２の隙間に進入させる。